(57)【要約】      （修正有）【課題】アイランドキッチンの上面部に取付け、料理や食事のときに使用する調味料類や、食器類や、調理用具などの料理用品類を容易に取出すことができる格納式収納容器を提供すること。【解決手段】格納式収納容器２０は、収納容器２１が入る穴部１５が明けられた箱体の上面部１１と、穴部１５の下方に位置し、取付ブラケットを介し上面部１１の下側に固定されるベース板と、上面部１１とベース板との間に設置され、穴部１５に入れられた収納容器２１を上下方向にスライド自在に取付けるスライドレールと、収納容器２１を昇降させる昇降機構とを備えることとした。【選択図】図１
2007185449.tif 000002
【特許請求の範囲】
【請求項１】
予め定めた形状の収納容器が入る穴部が明けられた箱体の上面部と、前記穴部の下方に位置し、取付ブラケットを介し前記上面部の下側に固定されるベース板と、前記上面部と前記ベース板との間に設置され、前記穴部に入れられた前記収納容器を上下方向にスライド自在に取付けるスライドレールと、前記収納容器を昇降させる昇降機構とを備えたことを特徴とする格納式収納容器。
【請求項２】
前記収納容器は、前記スライドレールにスライド自在に取付けられた昇降基板に回転自在に取付けられていることを特徴とする請求項１に記載の格納式収納容器。
【請求項３】
前記収納容器は、側面が開口した円筒形状とすることを特徴とする請求項１に記載の格納式収納容器。
【請求項４】
下方垂直方向に向け前記上面部に固定されたスライド棒をベルトまたはワイヤにより昇降させる昇降機構を備え、前記格納式収納容器とともに前記上面部を昇降させることを特徴とする請求項１に記載の格納式収納容器。
【発明の詳細な説明】
【技術分野】
【０００１】  本発明は、アイランドキッチンの上面部に取付け、料理用品類を容易に取出すことができる格納式収納容器に関する。
【背景技術】
【０００２】  通常一般家庭で使用されるキッチンは壁側に設置され、料理後には別途配置されたテーブルで食事が行われているが、アイランドキッチンは、キッチンルームの中央に置かれ、食器を洗うシンクや、料理用の加熱器が設けられているため、上面部の調理台で料理をするとともにアイランドキッチンを囲み食事をすることができる（例えば、特許文献１参照）。【０００３】
【特許文献１】      特開２００５−６５７９２号公報
【発明の開示】
【発明が解決しようとする課題】
【０００４】  しかしながら、このアイランドキッチンには、次のような問題があった。
上記したように、アイランドキッチンは、キッチンルームの中央に置かれ、上面部の調理台で料理をするとともにアイランドキッチンを囲み食事をすることができるが、料理や食事のときに使用する調味料類や、食器類や、調理用具などの料理用品類は、別途離れた棚などから持ち出さねばならず、煩わしい作業をしなければならなかった。
本発明は、上記の問題に鑑みてなされたものであって、アイランドキッチンの上面部に取付け、料理や食事のときに使用する調味料類や、食器類や、調理用具などの料理用品類を容易に取出すことができる格納式収納容器を提供することを目的とする。
【課題を解決するための手段】
【０００５】  本発明の格納式収納容器は、予め定めた形状の収納容器が入る穴部が明けられた箱体の上面部と、前記穴部の下方に位置し、取付ブラケットを介し前記上面部の下側に固定されるベース板と、前記上面部と前記ベース板との間に設置され、前記穴部に入れられた前記収納容器を上下方向にスライド自在に取付けるスライドレールと、前記収納容器を昇降させる昇降機構とを備えることとした。
また、前記収納容器は、前記スライドレールにスライド自在に取付けられた昇降基板に回転自在に取付けられることとした。
また、前記収納容器は、側面が開口した円筒形状とすることとした。
さらに、下方垂直方向に向け前記上面部に固定されたスライド棒をベルトまたはワイヤにより昇降させる昇降機構を備え、前記格納式収納容器とともに前記上面部を昇降させることとした。
【発明の効果】
【０００６】  本発明の格納式収納容器は、予め定めた形状の収納容器が入る穴部が明けられた箱体の上面部と、前記穴部の下方に位置し、取付ブラケットを介し前記上面部の下側に固定されるベース板と、前記上面部と前記ベース板との間に設置され、前記穴部に入れられた前記収納容器を上下方向にスライド自在に取付けるスライドレールと、前記収納容器を昇降させる昇降機構とを備えることとしたため、料理や食事のときに使用する調味料類や、食器類や、調理用具などの料理用品類を容易に取出すことができる。
また、前記収納容器は、前記スライドレールにスライド自在に取付けられた昇降基板に回転自在に取付けられることとしたため、収納容器のどこからでも料理用品類を容易に取出すことができる。
また、前記収納容器は、側面が開口した円筒形状とすることとしたため、収納容器のどこからでもより容易に料理用品類を容易に取出すことができる。
さらに、下方垂直方向に向け前記上面部に固定されたスライド棒をベルトまたはワイヤにより昇降させる昇降機構を備え、前記格納式収納容器とともに前記上面部を昇降させることとしたため、使用する人に応じた高さで的確にアイランドキッチンも格納式収納容器も使用することができる。
【発明を実施するための最良の形態】
【０００７】  以下、本発明の実施の形態の格納式収納容器につき説明する。
【実施例１】
【０００８】  図１は、本発明の実施の形態の格納式収納容器がアイランドキッチンに取付けられたときの斜視図を示し、図１（ａ）は、本発明の実施の形態の格納式収納容器がアイランドキッチンに取付けられ、収納容器が上昇したときの斜視図を示し、図１（ｂ）は、本発明の実施の形態の格納式収納容器がアイランドキッチンに取付けられ、収納容器が格納されているときの斜視図を示す。
図１（ａ）に示すように、本発明の実施の形態の格納式収納容器２０は、格納式収納容器２０の収納容器２１がアイランドキッチン１０の上面部１１に明けられた穴部１５に入れられ、収納容器２１は矢印Ｈに示すように上下方向にスライド自在に取付けられているとともに、矢印Ｒに示すように水平方向に回転自在に取付けられている。アイランドキッチン１０は、周辺に水栓１２が取付けられ食器を洗うシンク１３と、料理用の加熱器１４が設けられ、格納式収納容器２０の収納容器２１は、円形の上面２１ａと円形の下面２１ｂとの間に３個の仕切板２２が放射状に設けられ、外周面が開口した料理用品類を収納する収納部２３が形成されている。
図１（ｂ）に示すように、収納容器２１をアイランドキッチン１０に格納したときには、箱体の形状のアイランドキッチン１０の上面部１１と、収納容器２１の上面２１ａとは同一面状にすることができ、料理をするとともに食事をすることもできる。【０００９】  図２は、本発明の実施の形態の格納式収納容器の側面図を示し、図２（ａ）は、図１のＡＡ断面図を示し、図２（ｂ）は、図２（ａ）のＣＣ断面図を示す。
図２に示すように、本発明の実施の形態の格納式収納容器２０は、収納容器２１と、収納容器２１を上下方向にスライドガイドとするガイド機構３０と、収納容器２１を昇降させる昇降機構４０とで構成されている。
収納容器２１は、下面２１ａの中心部に垂直下方にロット３１が固定され、ロット３１は、収納容器２１の下面２１ａとほぼ同一形状で同芯の円形の昇降基板３２に、ベアリングユニット３１ａを介し水平方向に回転自在で上下方向に移動不可に取付けられている。
ガイド機構３０は、上端が上面部１１に固定され収納容器２１を囲み取り付けられた固定ブラケット３４ａ、３４ｂ、３４ｃ、３４ｄの下端に円形のベース板３６が取り付けられ、円形のベース板３６は、円形の昇降基板３２の下側に位置し円形の昇降基板３２と同芯となっている。また、上面部１１と円形のベース板３６との間には、円形の昇降基板３２を囲みスライドレール３３ａ、３３ｂ、３３ｃ、３３ｄが垂直に固定されており、スライドレール３３ａ、３３ｂ、３３ｃ、３３ｄには、円形の昇降基板３２の外周面に固定されたスライダー３５がスライド自在に取付けられ、円形の昇降基板３２は、スライドレール３３ａ、３３ｂ、３３ｃ、３３ｄに沿って収納容器２１とともに上下にスライド移動することができる。
昇降機構４０は、モータ４１ａと減速ギヤ４１ｂとを設け、円形のベース板３６の中央上部に取付けられたモータユニット４１と、モータユニット４１に取付けられた駆動ローラ４２と、円形のベース板３６の外周側の上部に取付けられたガイドローラ４３ａ、４３ｃと、上面部１１の下部に取付けられたガイドローラ４３ｂ、４３ｄとで構成され、一端が駆動ローラ４２に取付けられガイドローラ４３ａ、４３ｂに掛けられ、円形の昇降基板３２の外側に取付けられたベルト固定部４４ａに他端が固定されるベルト４９Ａと、一端が駆動ローラ４２に取付けられガイドローラ４３ｃ、４３ｄに掛けられ、円形の昇降基板３２の外側に取付けられたベルト固定部４４ｂに他端が固定されるベルト４９Ｂとが装着されている。【００１０】  次に、格納式収納容器２０の動作につき説明する。
図２に示すように、格納式収納容器２０の収納容器２１がアイランドキッチン１０に格納されているとき、モータユニット４１を作動させ矢印Ｋに示すように駆動ローラ４２を回動させると、ベルト４９Ａ、４９Ｂが巻き上げられ円形の昇降基板３２がスライドレール３３ａ、３３ｂ、３３ｃ、３３ｄに沿って上昇する。円形の昇降基板３２が上昇すると、円形の昇降基板３２に取付けられたロット３１と連結した収納容器２１も上昇し、収納容器２１は、図１（ａ）に示す上限の位置にすることができる。また、収納容器２１を格納するときには、モータユニット４１により駆動ローラ４２を逆方向に回動させ収納容器２１を下降させて行うことができる。【００１１】  図３は、本発明の実施の形態の格納式収納容器が取付けられるアイランドキッチンの上面部を昇降させる昇降機構の側面図を示す。
図３は、図１（ａ）のＢＢ断面図を示すもので、アイランドキッチン１０には、上側の水平フレーム５１Ａと、下側の水平フレーム５１Ｂとが形成されている。
アイランドキッチン１０の上面部１１は矢印ＤＵに示すように昇降することができ、上面部１１を昇降させる昇降機構５０は、上側の水平フレーム５１Ａおよび下側の水平フレーム５１Ｂとを垂直方向に貫通し、スライドベアリング５３によりスライド自在に取付けられ、上端が上面部１１に固定されたスライド棒５２Ａ、５２Ｂと、スライド棒５２Ａ、５２Ｂの両下端に水平に固定された長方形の昇降ベース５４とを備えている。
また、昇降機構５０には、モータ５５ａと減速ギヤ５５ｂとを設け、下側の水平フレーム５１Ｂの中央上側に取付けられたモータユニット５５と、モータユニット５５に取付けられた駆動ローラ５６と、昇降ベース５４の上側に取付けられたガイドローラ５７ａ、５７ｂと、下側の水平フレーム５１Ｂの下側でガイドローラ５７ａ、５７ｂの外側に取付けられたベルト固定部５８ａ、５８ｂとが設けられている。また、昇降機構５０は、一端が駆動ローラ５６に取付けられ、水平フレーム５１Ｂに明けられた穴（図示せず）を通り、ガイドローラ５７ａに掛けられ、ベルト固定部５８ａに他端が固定されたベルト５９Ａと、一端が駆動ローラ５６に取付けられ、水平フレーム５１Ｂに明けられた穴（図示せず）を通り、ガイドローラ５７ｂに掛けられ、ベルト固定部５８ｂに他端が固定されたベルト５９Ｂとが装着されている。【００１２】  次に、アイランドキッチン１０の上面部１１を昇降させる昇降機構５０の動作につき説明する。
図３に示すように、アイランドキッチン１０の上面部１１が下降位置にあるとき、モータユニット５５を作動させ矢印Ｋに示すように駆動ローラ５６を回動させると、ベルト５９Ａ、５９Ｂが巻き上げられ昇降ベース５４が上昇する。昇降ベース５４の上昇に伴い、スライド棒５２Ａ、５２Ｂも上昇し、アイランドキッチン１０の上面部１１を上昇させることができる。また、アイランドキッチン１０の上面部１１を下降させるときには、モータユニット５５により駆動ローラ５６を逆方向に回動させて行うことができる。【００１３】  以上述べたように、本発明の実施の形態の格納式収納容器２０は、収納容器２１をアイランドキッチン１０の上面部１１から昇降することができ、収納容器２１を上限の位置まで上昇させたときには、収納した料理用品類を容易に取出すことができ、収納容器２１を格納したときには、料理を容易にするとともにアイランドキッチンを囲み食事をすることもできる
また、収納容器２１は昇降するとともに、水平方向に回転自在のため、収納容器２１のどこからでも料理用品類を容易に取出すことができる。
さらに、本発明の格納式収納容器２０が取付けられたアイランドキッチン１０の上面部１１を格納式収納容器２０とともに昇降させることができるため、使用する人に応じた高さで的確にアイランドキッチン１０も格納式収納容器２０も使用することができる。
なお、本発明の実施の形態の格納式収納容器は、アイランドキッチンに限らず、一般家庭で使われているキッチンなどにも使用することができる。また、収納容器２１も本発明の実施の形態で説明した円形に限らす他の形状にすることができる。
また、ベース板３６は、収納容器２１を囲む固定ブラケット３４ａ、３４ｂ、３４ｃ、３４ｄにより取り付けられるようにしたが、スライドレール３３ａ、３３ｂ、３３ｃ、３３ｄがベース板３６を固定するために十分の強度がある場合には、固定ブラケット３４ａ、３４ｂ、３４ｃ、３４ｄを不要とすることもできる。
さらに、本発明の実施の形態の格納式収納容器では、昇降機構４０、５０にベルト４９Ａ、４９Ｂ、５９Ａ、５９Ｂを使用することとしたが、ワイヤなども同様に使用することができる。
【図面の簡単な説明】
【００１４】
【図１】  本発明の実施の形態の格納式収納容器がアイランドキッチンに取付けられたときの斜視図を示し、図１（ａ）は、本発明の実施の形態の格納式収納容器がアイランドキッチンに取付けられ、収納容器が上昇したときの斜視図を示し、図１（ｂ）は、本発明の実施の形態の格納式収納容器がアイランドキッチンに取付けられ、収納容器が格納されているときの斜視図を示す。
【図２】  本発明の実施の形態の格納式収納容器の側面図を示し、図１（ａ）は、図１のＡＡ断面図を示し、図１（ｂ）は、図１（ａ）のＣＣ断面図を示す。
【図３】  本発明の実施の形態の格納式収納容器が取付けられるアイランドキッチンの上面部を昇降させる昇降機構の側面図を示す。
【符号の説明】
【００１５】  １０  アイランドキッチン
１１  上面部
１５  穴部
２０  格納式収納容器
２１  収納容器
３０  ガイド機構
３２  昇降基板
３３ａ、３３ｂ、３３ｃ、３３ｄ  スライドレール
３５  スライダー
３６  ベース板
４０  昇降機構
４１、５５  モータユニット
４２、５６  駆動ローラ
４３ａ、４３ｃ、５７ａ、５７ｂ  ガイドローラ
４９Ａ、４９Ｂ、５９Ａ、５９Ｂ  ベルト
５０  昇降機構
５１Ａ、５１Ｂ  水平フレーム
５２Ａ、５２Ｂ  スライド棒
５４  昇降ベース
【図１】
2007185449.tif 000003
【図２】
2007185449.tif 000004
【図３】
2007185449.tif 000005